(57)【要約】【課題】本発明は半月板保護用包帯巻き装置を開示した。【解決手段】起動箱を含み、前記起動箱の下端にはスポンジクッションが設けられ、前記起動箱の中には伝動チャンバが設けられ、前記伝動チャンバの中には起動装置が設けられ、前記起動箱の外側には中心対称な支持台が四つ固定的に連結され、上下二つの支持台の間にはレール箱が固定的に連結され、前記レール箱の中には下方に開口したスライドチャンバが設けられ、右側の前記スライドチャンバを例にし、前記スライドチャンバの右端内壁にはスライド溝が設けられ、前記スライドチャンバの左端内壁には抜き穴が連通するように設けられ、前記抜き穴の中には前記起動装置に制御されたスライド装置がスライドできるように連結され、且つ前記スライド装置が前記スライド溝とスライドできるように連結されている。【選択図】図１
2020182811.tif 000002
【特許請求の範囲】
【請求項１】
正面視で、起動箱を含み、前記起動箱の下端にはスポンジクッションが設けられ、前記起動箱の中には伝動チャンバが設けられ、前記伝動チャンバの中には起動装置が設けられ、前記起動箱の外側には中心対称な支持台が四つ固定的に連結され、上下二つの支持台の間にはレール箱が固定的に連結され、前記レール箱の中には下方に開口したスライドチャンバが設けられ、
右側の前記スライドチャンバを例にし、前記スライドチャンバの右端内壁にはスライド溝が設けられ、前記スライドチャンバの左端内壁には抜き穴が連通するように設けられ、前記抜き穴の中には前記起動装置に制御されたスライド装置がスライドできるように連結され、且つ前記スライド装置が前記スライド溝とスライドできるように連結され、それにより、前記スライド装置を前記レール箱の輪郭に沿ってスライドさせることができ、
前記スライド装置の下端には左右に対称したくっつけ装置が回転できるように連結され、前記くっつけ装置の間には肌を引き締めることができる包帯装置が設けられ、前記包帯装置の中には包帯の切口が下方へ向くことを保つ片方向回転装置が設けられ、
前記スライドチャンバの内壁の中には前記くっつけ装置を制御するガイド装置が設けられ、前記包帯装置が前記ガイド装置との当接状態から離脱した時に肌と直接に接触でき、さらに、前記包帯装置と前記ガイド装置とが改めて当接したとき、前記包帯が外部環境に接触することを防げることを特徴とする半月板保護用包帯巻き装置。
【請求項２】
前記起動装置は前記伝動チャンバの内壁に連通するように設けられた中心対称な回転溝を含み、前記伝動チャンバの前端内壁には伝動軸が回転できるように連結され、前記伝動軸には前記伝動チャンバの前端の外側に位置したノブが設けられ、前記伝動軸には前記回転溝とスライドできるように連結された回しロッドが設けられ、前記回しロッドの前側と前記伝動チャンバの前端内壁との間にはトーションバネが連結されていることを特徴とする請求項１に記載の半月板保護用包帯巻き装置。
【請求項３】
前記スライド装置は前記スライド溝とスライドできるように連結された中心対称な連結板を含み、前記連結板が前記抜き穴とスライドできるように連結され、且つ前記スライドチャンバのうち対称中心に近接した一端の外側に伸びており、前記連結板と前記スライド溝の内壁との間には引っ張りバネが連結され、前記連結板のうち対称中心に近接した一端には前記回しロッドと当接した連結溝が設けられていることを特徴とする請求項１に記載の半月板保護用包帯巻き装置。
【請求項４】
前記くっつけ装置は前記連結板の下側端面と回転できるように連結された左右対称な従動軸を含み、前記従動軸には回転板が設けられ、前記回転板の中には斜面溝が連通するように設けられ、前記斜面溝には前記包帯装置と回転できるように連結された駆動軸がスライドできるように連結され、前記駆動軸には前記回転板のうち対称中心から離れた側に位置した落ち防ぎ板が設けられ、前記従動軸には前記回転板の前端に位置した押しロッドが設けられていることを特徴とする請求項３に記載の半月板保護用包帯巻き装置。
【請求項５】
前記包帯装置は前記駆動軸と回転できるように連結された菱形ローラーを含み、前記菱形ローラーの中には駆動チャンバが設けられ、前記駆動軸には前記駆動チャンバの中に位置した包帯輪が設けられ、前記包帯輪の内側と前記片方向回転装置とが固定的に連結され、前記包帯輪の外側が前記駆動チャンバの外側まで伸びており、
前記駆動軸にはカップリング箱の左右端に位置し、且つ対称な支持ロッドが回転できるように連結され、前記支持ロッドのうち反時計回り側には当接ロッドがスライドできるように連結され、前記当接ロッドと前記支持ロッドとの間には圧縮バネが連結され、前記当接ロッドの間には前記駆動チャンバの外側に位置した切り刃が設けられていることを特徴とする請求項４に記載の半月板保護用包帯巻き装置。
【請求項６】
前記片方向回転装置は前記駆動軸と回転できるように連結されたカップリング箱を含み、前記カップリング箱と前記包帯輪とが固定的に連結され、前記カップリング箱の中にはカップリングチャンバが設けられ、前記カップリングチャンバの中には回転可能な六つの制限ロッドが環状に配列され、前記カップリングチャンバの中には前記制限ロッドのうち時計回り側に位置した位置制限ブロックが固定的に連結され、前記位置制限ブロックは前記位置制限ロッドが時計回りに回転することを制限でき、前記駆動軸には前記カップリングチャンバの中に位置した爪車が設けられ、前記爪車と前記制限ロッドとが当接し連結されていることを特徴とする請求項５に記載の半月板保護用包帯巻き装置。
【請求項７】
前記ガイド装置は前記スライドチャンバのうち時計回り側に固定された固定ロッドを含み、前記固定ロッドには前記押しロッドと当接し連結された押しブロックが設けられていることを特徴とする請求項４に記載の半月板保護用包帯巻き装置。
【発明の詳細な説明】
【技術分野】
【０００１】
本発明は包帯巻きの医療技術分野を取り上げて、具体的には半月板保護用包帯巻き装置である。
【背景技術】
【０００２】
運動者にとって、半月板損傷はよくあることであり、しかし損傷を受けた後、多くの人は保護用包帯の巻き方があまり複雑であるから、半月板への保護をやめ、または間違った包帯の巻き方によって運動中に思いがけなく肉離れを起こし、従って、本発明は簡単で正確な半月板保護用包帯巻き装置を設計する。
【先行技術文献】
【特許文献】
【０００３】
【特許文献１】中国特許出願公開第１０２６５７５４７号明細書
【発明の概要】
【発明が解決しようとする課題】
【０００４】
本発明の目的は半月板保護用包帯巻き装置を提供し、それは上記の現在の技術中の問題を解決できる。
【課題を解決するための手段】
【０００５】
上記の課題を解決するため、本発明は以下の技術プランを採用する：本発明の半月板保護用包帯巻き装置は、起動箱を含み、前記起動箱の下端にはスポンジクッションが設けられ、前記起動箱の中には伝動チャンバが設けられ、前記伝動チャンバの中には起動装置が設けられ、前記起動箱の外側には中心対称な支持台が四つ固定的に連結され、上下二つの支持台の間にはレール箱が固定的に連結され、前記レール箱の中には下方に開口したスライドチャンバが設けられ、右側の前記スライドチャンバを例にし、前記スライドチャンバの右端内壁にはスライド溝が設けられ、前記スライドチャンバの左端内壁には抜き穴が連通するように設けられ、前記抜き穴の中には前記起動装置に制御されたスライド装置がスライドできるように連結され、且つ前記スライド装置が前記スライド溝とスライドできるように連結され、それにより、前記スライド装置を前記レール箱の輪郭に沿ってスライドさせることができ、前記スライド装置の下端には左右に対称したくっつけ装置が回転できるように連結され、前記くっつけ装置の間には肌を引き締めることができる包帯装置が設けられ、前記包帯装置の中には包帯の切口が下方へ向くことを保つ片方向回転装置が設けられ、前記スライドチャンバの内壁の中には前記くっつけ装置を制御するガイド装置が設けられ、前記包帯装置が前記ガイド装置との当接状態から離脱した時に肌と直接に接触でき、さらに、前記包帯装置と前記ガイド装置とが改めて当接したとき、前記包帯が外部環境に接触することを防げる。
【０００６】
前記起動装置は前記伝動チャンバの内壁に連通するように設けられた中心対称な回転溝を含み、前記伝動チャンバの前端内壁には伝動軸が回転できるように連結され、前記伝動軸には前記伝動チャンバの前端の外側に位置したノブが設けられ、前記伝動軸には前記回転溝とスライドできるように連結された回しロッドが設けられ、前記回しロッドの前側と前記伝動チャンバの前端内壁との間にはトーションバネが連結されている。
【０００７】
前記スライド装置は前記スライド溝とスライドできるように連結された中心対称な連結板を含み、前記連結板が前記抜き穴とスライドできるように連結され、且つ前記スライドチャンバのうち対称中心に近接した一端の外側に伸びており、前記連結板と前記スライド溝の内壁との間には引っ張りバネが連結され、前記連結板のうち対称中心に近接した一端には前記回しロッドと当接した連結溝が設けられている。
【０００８】
前記くっつけ装置は前記連結板の下側端面と回転できるように連結された左右対称な従動軸を含み、前記従動軸には回転板が設けられ、前記回転板の中には斜面溝が連通するように設けられ、前記斜面溝には前記包帯装置と回転できるように連結された駆動軸がスライドできるように連結され、前記駆動軸には前記回転板のうち対称中心から離れた側に位置した落ち防ぎ板が設けられ、前記従動軸には前記回転板の前端に位置した押しロッドが設けられている。
【０００９】
前記包帯装置は前記駆動軸と回転できるように連結された菱形ローラーを含み、前記菱形ローラーの中には駆動チャンバが設けられ、前記駆動軸には前記駆動チャンバの中に位置した包帯輪が設けられ、前記包帯輪の内側と前記片方向回転装置とが固定的に連結され、前記包帯輪の外側が前記駆動チャンバの外側まで伸びており、直接に肌に接触することに便利であり、前記駆動軸にはカップリング箱の左右端に位置し、且つ対称な支持ロッドが回転できるように連結され、前記支持ロッドのうち反時計回り側には当接ロッドがスライドできるように連結され、前記当接ロッドと前記支持ロッドとの間には圧縮バネが連結され、前記当接ロッドの間には前記駆動チャンバの外側に位置した切り刃が設けられ、前記切り刃は包帯を切ることができる。
【００１０】
前記片方向回転装置は前記駆動軸と回転できるように連結されたカップリング箱を含み、前記カップリング箱と前記包帯輪とが固定的に連結され、前記カップリング箱の中にはカップリングチャンバが設けられ、前記カップリングチャンバの中には回転可能な六つの制限ロッドが環状に配列され、前記カップリングチャンバの中には前記制限ロッドのうち時計回り側に位置した位置制限ブロックが固定的に連結され、前記位置制限ブロックは前記位置制限ロッドが時計回りに回転することを制限でき、前記駆動軸には前記カップリングチャンバの中に位置した爪車が設けられ、前記爪車と前記制限ロッドとが当接し連結されている。
【００１１】
前記ガイド装置は前記スライドチャンバのうち時計回り側に固定された固定ロッドを含み、前記固定ロッドには前記押しロッドと当接し連結された押しブロックが設けられている。
【発明の効果】
【００１２】
本発明は菱形ローラーが平行のスライドウェイと台形スライドウェイでの移動を切り替えることを利用し、高度を調節し、包帯を使用する時に包帯が肌にくっつくことを保証し、使わない時に、包帯を収納でき、包帯が汚れることを防ぎ、またレールの形を利用し、包帯巻きの正確な角度を保証し、間違った包帯の巻き方による二次損傷を避ける。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の半月板保護用包帯巻き装置の全体構成略図
【図２】図２は図１のＡ―Ａ方向の構成略図
【図３】図３は図２のＢ―Ｂ方向の構成略図
【図４】図４は図３のＣ―Ｃ方向の構成略図
【図５】図５は図３のＤ―Ｄ方向の構成略図
【図６】図６は図１の連結板の構成略図
【発明を実施するための形態】
【００１５】
本発明は半月板保護用包帯巻き装置を取り上げ、主に半月板保護用包帯巻きに使い、以下に付図をあわせて本発明について説明する：
【００１６】
本発明の半月板保護用包帯巻き装置は、起動箱１１を含み、前記起動箱１１の下端にはスポンジクッション４９が設けられ、前記起動箱１１の中には伝動チャンバ１９が設けられ、前記伝動チャンバ１９の中には起動装置９０１が設けられ、前記起動箱１１の外側には中心対称な支持台１７が四つ固定的に連結され、上下二つの支持台１７の間にはレール箱１５が固定的に連結され、前記レール箱１５の中には下方に開口したスライドチャンバ１６が設けられ、右側の前記スライドチャンバ１６を例にし、前記スライドチャンバ１６の右端内壁にはスライド溝１４が設けられ、前記スライドチャンバ１６の左端内壁には抜き穴１８が連通するように設けられ、前記抜き穴１８の中には前記起動装置９０１に制御されたスライド装置９０２がスライドできるように連結され、且つ前記スライド装置９０２が前記スライド溝１４とスライドできるように連結され、それにより、前記スライド装置９０２を前記レール箱１５の輪郭に沿ってスライドさせることができ、前記スライド装置９０２の下端には左右に対称したくっつけ装置９０３が回転できるように連結され、前記くっつけ装置９０３の間には肌を引き締めることができる包帯装置９０４が設けられ、前記包帯装置９０４の中には包帯の切口が下方へ向くことを保つ片方向回転装置９０５が設けられ、前記スライドチャンバ１６の内壁の中には前記くっつけ装置９０３を制御するガイド装置９０６が設けられ、前記包帯装置９０４が前記ガイド装置９０６との当接状態から離脱した時に肌と直接に接触でき、さらに、前記包帯装置９０４と前記ガイド装置９０６とが改めて当接したとき、前記包帯９０４が外部環境に接触することを防げる。
【００１７】
以下、起動装置９０１について詳しく説明し、前記起動装置９０１は前記伝動チャンバ１９の内壁に連通するように設けられた中心対称な回転溝２０を含み、前記伝動チャンバ１９の前端内壁には伝動軸１３が回転できるように連結され、前記伝動軸１３には前記伝動チャンバ１９の前端の外側に位置したノブ２４が設けられ、前記伝動軸１３には前記回転溝２０とスライドできるように連結された回しロッド１２が設けられ、前記回しロッド１２の前側と前記伝動チャンバ１９の前端内壁との間にはトーションバネ２３が連結されている。
【００１８】
以下、スライド装置９０２について詳しく説明し、前記スライド装置９０２は前記スライド溝１４とスライドできるように連結された中心対称な連結板２２を含み、前記連結板２２が前記抜き穴１８とスライドできるように連結され、且つ前記スライドチャンバ１６のうち対称中心に近接した一端の外側に伸びており、前記連結板２２と前記スライド溝１４の内壁との間には引っ張りバネ２１が連結され、前記連結板２２のうち対称中心に近接した一端には前記回しロッド１２と当接した連結溝４８が設けられている。
【００１９】
以下、くっつけ装置９０３について詳しく説明し、前記くっつけ装置９０３は前記連結板２２の下側端面と回転できるように連結された左右対称な従動軸３２を含み、前記従動軸３２には回転板３７が設けられ、前記回転板３７の中には斜面溝３６が連通するように設けられ、前記斜面溝３６には前記包帯装置９０４と回転できるように連結された駆動軸３４がスライドできるように連結され、前記駆動軸３４には前記回転板３７のうち対称中心から離れた側に位置した落ち防ぎ板３３が設けられ、前記従動軸３２には前記回転板３７の前端に位置した押しロッド４０が設けられている。
【００２０】
以下、包帯装置９０４について詳しく説明し、前記包帯装置９０４は前記駆動軸３４と回転できるように連結された菱形ローラー２５を含み、前記菱形ローラー２５の中には駆動チャンバ２６が設けられ、前記駆動軸３４には前記駆動チャンバ２６の中に位置した包帯輪２８が設けられ、前記包帯輪２８の内側と前記片方向回転装置９０５とが固定的に連結され、前記包帯輪２８の外側が前記駆動チャンバ２６の外側まで伸びており、直接に肌に接触することに便利であり、前記駆動軸３４にはカップリング箱２７の左右端に位置し、且つ対称な支持ロッド３５が回転できるように連結され、前記支持ロッド３５のうち反時計回り側には当接ロッド３１がスライドできるように連結され、前記当接ロッド３１と前記支持ロッド３５との間には圧縮バネ２９が連結され、前記当接ロッド３１の間には前記駆動チャンバ２６の外側に位置した切り刃３０が設けられ、前記切り刃３０は包帯を切ることができる。
【００２１】
以下、片方向回転装置９０５について詳しく説明し、前記片方向回転装置９０５は前記駆動軸３４と回転できるように連結されたカップリング箱２７を含み、前記カップリング箱２７と前記包帯輪２８とが固定的に連結され、前記カップリング箱２７の中にはカップリングチャンバ４４が設けられ、前記カップリングチャンバ４４の中には回転可能な六つの制限ロッド４６が環状に配列され、前記カップリングチャンバ４４の中には前記制限ロッド４６のうち時計回り側に位置した位置制限ブロック４５が固定的に連結され、前記位置制限ブロック４５は前記位置制限ロッド４６が時計回りに回転することを制限でき、前記駆動軸３４には前記カップリングチャンバ４４の中に位置した爪車４７が設けられ、前記爪車４７と前記制限ロッド４６とが当接し連結されている。
【００２２】
以下、ガイド装置９０６について詳しく説明し、前記ガイド装置９０６は前記スライドチャンバ１６のうち時計回り側に固定された固定ロッド３８を含み、前記固定ロッド３８には前記押しロッド４０と当接し連結された押しブロック３９が設けられている。
【００２３】
以下、図１〜６をあわせて本発明装置の使用ステップについて詳しく説明する：
【００２４】
包帯を巻くとき、スポンジクッション４９を膝にくっつけ、ノブ２４を回し、伝動軸１３によって回しロッド１２を回し、これによって回しロッド１２が連結溝４８の中までスライドし、且つ連結板２２を押し動かし、このとき、連結板２２の移動により、押しロッド４０が押しブロック３９との当接状態から離脱し、これによって押しロッド４０が復帰バネ４１の弾性回復のもとで対称中心の側へ向けて回転し、回転板３７が互いに平行し、斜面溝３６の形が斜面であるため、駆動軸３４が反時計回り側へスライドし肌にくっつき、このとき駆動軸３４が爪車４７を反時計回りに回転連動させ、包帯輪２８を回転連動させることができなく、包帯の切り口が下方に向くことを保証し、引き続きに連結板２２を移動させ、このとき肌と包帯との粘着により、包帯輪２８を回し、膝の半月板の周囲の肌を引き締め、当接ロッド３１がスライドチャンバ１６のうち反時計回り側の内壁と当接するまで連結板２２を移動させ、切り刃３０を押し動かし、切り刃３０が包帯輪２８を向けて移動し、包帯を切り包帯巻きを完了し、伝動軸１３を放し、引っ張りバネ２１の弾性回復により連結板２２が引き動かされて時計回りに移動し、このとき、押しロッド４０と押しブロック３９との当接によりう押しロッド４０を押し動かし、押しロッド４０が対称中心から離れた側へ回転し、従動軸３２により回転板３７を押し動かして台形に配列させ、回転板３７の時計回り側は長さの短い一端であり、このとき菱形ローラー２５によって包帯輪２８を時計回り側に押し動かし、包帯輪２８を皮膚との直接接触状態から離脱させる。
【００２５】
本発明の有益効果は：本発明は菱形ローラーが平行のスライドウェイと台形スライドウェイでの移動を切り替えることを利用し、高度を調節し、包帯を使用する時に包帯が肌にくっつくことを保証し、使わない時に、包帯を収納でき、包帯が汚れることを防ぎ、またレールの形を利用し、包帯巻きの正確な角度を保証し、間違った包帯の巻き方による二次損傷を避ける。
【００２６】
以上の方式により、本分野の技術者は本発明の範囲内に作動モードに合わせて各種な変形をさせることができる。
【図１】
2020182811.tif 000003
【図２】
2020182811.tif 000004
【図３】
2020182811.tif 000005
【図４】
2020182811.tif 000006
【図５】
2020182811.tif 000007
【図６】
2020182811.tif 000008
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
正面視で、起動箱を含み、前記起動箱の下端にはスポンジクッションが設けられ、前記起動箱の中には伝動チャンバが設けられ、前記伝動チャンバの中には起動装置が設けられ、前記起動箱の外側には中心対称な支持台が四つ固定的に連結され、上下二つの支持台の間にはレール箱が固定的に連結され、前記レール箱の中には下方に開口したスライドチャンバが設けられ、
ここで右側の前記スライドチャンバについて詳しく説明し、右側の前記スライドチャンバと左側の前記スライドチャンバとが同じ構造を持ち、前記スライドチャンバの右端内壁にはスライド溝が設けられ、前記スライドチャンバの左端内壁には抜き穴が連通するように設けられ、前記抜き穴の中には前記起動装置に制御されたスライド装置がスライドできるように連結され、且つ前記スライド装置が前記スライド溝とスライドできるように連結され、それにより、前記スライド装置を前記レール箱の輪郭に沿ってスライドさせることができ、
前記スライド装置の下端には左右に対称したくっつけ装置が回転できるように連結され、前記くっつけ装置の間には肌を引き締めることができる包帯装置が設けられ、前記包帯装置の中には包帯の切口が下方へ向くことを保つ片方向回転装置が設けられ、
前記スライドチャンバの内壁の中には前記くっつけ装置を制御するガイド装置が設けられ、前記包帯装置が前記ガイド装置との当接状態から離脱した時に前記包帯装置が肌と直接に接触でき、さらに、前記包帯装置と前記ガイド装置とが改めて当接したとき、前記包帯が外部環境に接触することを防げ、
前記起動装置は前記伝動チャンバの内壁に連通するように設けられた中心対称な回転溝を含み、前記伝動チャンバの前端内壁には伝動軸が回転できるように連結され、前記伝動軸には前記伝動チャンバの前端の外側に位置したノブが設けられ、前記伝動軸には前記回転溝とスライドできるように連結された回しロッドが設けられ、前記回しロッドの前側と前記伝動チャンバの前端内壁との間にはトーションバネが連結され、
前記スライド装置は前記スライド溝とスライドできるように連結された中心対称な連結板を含み、前記連結板が前記抜き穴とスライドできるように連結され、且つ前記スライドチャンバのうち対称中心に近接した一端の外側に伸びており、前記連結板と前記スライド溝の内壁との間には引っ張りバネが連結され、前記連結板のうち対称中心に近接した一端には前記回しロッドと当接した連結溝が設けられ、
前記くっつけ装置は前記連結板の下側端面と回転できるように連結された左右対称な従動軸を含み、前記従動軸には回転板が設けられ、前記回転板の中には斜面溝が連通するように設けられ、前記斜面溝には前記包帯装置と回転できるように連結された駆動軸がスライドできるように連結され、前記駆動軸には前記回転板のうち対称中心から離れた側に位置した落ち防ぎ板が設けられ、前記従動軸には前記回転板の前端に位置した押しロッドが設けられ、
前記包帯装置は前記駆動軸と回転できるように連結された菱形ローラーを含み、前記菱形ローラーの中には駆動チャンバが設けられ、前記駆動軸には前記駆動チャンバの中に位置した包帯輪が設けられ、前記包帯輪の内側と前記片方向回転装置とが固定的に連結され、前記包帯輪の外側が前記駆動チャンバの外側まで伸びており、
前記駆動軸にはカップリング箱の左右端に位置し、且つ対称な支持ロッドが回転できるように連結され、前記支持ロッドのうち反時計回り側には当接ロッドがスライドできるように連結され、前記当接ロッドと前記支持ロッドとの間には圧縮バネが連結され、前記当接ロッドの間には前記駆動チャンバの外側に位置した切り刃が設けられていることを特徴とする半月板保護用包帯巻き装置。
【請求項２】
前記片方向回転装置は前記駆動軸と回転できるように連結されたカップリング箱を含み、前記カップリング箱と前記包帯輪とが固定的に連結され、前記カップリング箱の中にはカップリングチャンバが設けられ、前記カップリングチャンバの中には回転可能な六つの制限ロッドが環状に配列され、前記カップリングチャンバの中には前記制限ロッドのうち時計回り側に位置した位置制限ブロックが固定的に連結され、前記位置制限ブロックは前記制限ロッドが時計回りに回転することを制限でき、前記駆動軸には前記カップリングチャンバの中に位置した爪車が設けられ、前記爪車と前記制限ロッドとが当接し連結されていることを特徴とする請求項１に記載の半月板保護用包帯巻き装置。
【請求項３】
前記ガイド装置は前記スライドチャンバのうち時計回り側に固定された固定ロッドを含み、前記固定ロッドには前記押しロッドと当接し連結された押しブロックが設けられていることを特徴とする請求項１に記載の半月板保護用包帯巻き装置。
【手続補正２】
【補正対象書類名】明細書
【補正対象項目名】全文
【補正方法】変更
【補正の内容】
【発明の詳細な説明】
【技術分野】
【０００１】
本発明は包帯巻きの医療技術分野を取り上げて、具体的には半月板保護用包帯巻き装置である。
【背景技術】
【０００２】
運動者にとって、半月板損傷はよくあることであり、しかし損傷を受けた後、多くの人は保護用包帯の巻き方があまり複雑であるから、半月板への保護をやめ、または間違った包帯の巻き方によって運動中に思いがけなく肉離れを起こし、従って、本発明は簡単で正確な半月板保護用包帯巻き装置を設計する。
【先行技術文献】
【特許文献】
【０００３】
【特許文献１】中国特許出願公開第１０２６５７５４７号明細書
【発明の概要】
【発明が解決しようとする課題】
【０００４】
本発明の目的は半月板保護用包帯巻き装置を提供し、それは上記の現在の技術中の問題を解決できる。
【課題を解決するための手段】
【０００５】
上記の課題を解決するため、本発明は以下の技術プランを採用する：本発明の半月板保護用包帯巻き装置は、起動箱を含み、前記起動箱の下端にはスポンジクッションが設けられ、前記起動箱の中には伝動チャンバが設けられ、前記伝動チャンバの中には起動装置が設けられ、前記起動箱の外側には中心対称な支持台が四つ固定的に連結され、上下二つの支持台の間にはレール箱が固定的に連結され、前記レール箱の中には下方に開口したスライドチャンバが設けられ、ここで右側の前記スライドチャンバについて詳しく説明し、右側の前記スライドチャンバと左側の前記スライドチャンバとが同じ構造を持ち、前記スライドチャンバの右端内壁にはスライド溝が設けられ、前記スライドチャンバの左端内壁には抜き穴が連通するように設けられ、前記抜き穴の中には前記起動装置に制御されたスライド装置がスライドできるように連結され、且つ前記スライド装置が前記スライド溝とスライドできるように連結され、それにより、前記スライド装置を前記レール箱の輪郭に沿ってスライドさせることができ、前記スライド装置の下端には左右に対称したくっつけ装置が回転できるように連結され、前記くっつけ装置の間には肌を引き締めることができる包帯装置が設けられ、前記包帯装置の中には包帯の切口が下方へ向くことを保つ片方向回転装置が設けられ、前記スライドチャンバの内壁の中には前記くっつけ装置を制御するガイド装置が設けられ、前記包帯装置が前記ガイド装置との当接状態から離脱した時に、前記包帯装置が肌と直接に接触でき、さらに、前記包帯装置と前記ガイド装置とが改めて当接したとき、前記包帯が外部環境に接触することを防げる。
【０００６】
前記起動装置は前記伝動チャンバの内壁に連通するように設けられた中心対称な回転溝を含み、前記伝動チャンバの前端内壁には伝動軸が回転できるように連結され、前記伝動軸には前記伝動チャンバの前端の外側に位置したノブが設けられ、前記伝動軸には前記回転溝とスライドできるように連結された回しロッドが設けられ、前記回しロッドの前側と前記伝動チャンバの前端内壁との間にはトーションバネが連結されている。
【０００７】
前記スライド装置は前記スライド溝とスライドできるように連結された中心対称な連結板を含み、前記連結板が前記抜き穴とスライドできるように連結され、且つ前記スライドチャンバのうち対称中心に近接した一端の外側に伸びており、前記連結板と前記スライド溝の内壁との間には引っ張りバネが連結され、前記連結板のうち対称中心に近接した一端には前記回しロッドと当接した連結溝が設けられている。
【０００８】
前記くっつけ装置は前記連結板の下側端面と回転できるように連結された左右対称な従動軸を含み、前記従動軸には回転板が設けられ、前記回転板の中には斜面溝が連通するように設けられ、前記斜面溝には前記包帯装置と回転できるように連結された駆動軸がスライドできるように連結され、前記駆動軸には前記回転板のうち対称中心から離れた側に位置した落ち防ぎ板が設けられ、前記従動軸には前記回転板の前端に位置した押しロッドが設けられている。
【０００９】
前記包帯装置は前記駆動軸と回転できるように連結された菱形ローラーを含み、前記菱形ローラーの中には駆動チャンバが設けられ、前記駆動軸には前記駆動チャンバの中に位置した包帯輪が設けられ、前記包帯輪の内側と前記片方向回転装置とが固定的に連結され、前記包帯輪の外側が前記駆動チャンバの外側まで伸びており、直接に肌に接触することに便利であり、前記駆動軸にはカップリング箱の左右端に位置し、且つ対称な支持ロッドが回転できるように連結され、前記支持ロッドのうち反時計回り側には当接ロッドがスライドできるように連結され、前記当接ロッドと前記支持ロッドとの間には圧縮バネが連結され、前記当接ロッドの間には前記駆動チャンバの外側に位置した切り刃が設けられ、前記切り刃は包帯を切ることができる。
【００１０】
前記片方向回転装置は前記駆動軸と回転できるように連結されたカップリング箱を含み、前記カップリング箱と前記包帯輪とが固定的に連結され、前記カップリング箱の中にはカップリングチャンバが設けられ、前記カップリングチャンバの中には回転可能な六つの制限ロッドが環状に配列され、前記カップリングチャンバの中には前記制限ロッドのうち時計回り側に位置した位置制限ブロックが固定的に連結され、前記位置制限ブロックは前記制限ロッドが時計回りに回転することを制限でき、前記駆動軸には前記カップリングチャンバの中に位置した爪車が設けられ、前記爪車と前記制限ロッドとが当接し連結されている。
【００１１】
前記ガイド装置は前記スライドチャンバのうち時計回り側に固定された固定ロッドを含み、前記固定ロッドには前記押しロッドと当接し連結された押しブロックが設けられている。
【発明の効果】
【００１２】
本発明は菱形ローラーが平行のスライドウェイと台形スライドウェイでの移動を切り替えることを利用し、高度を調節し、包帯を使用する時に包帯が肌にくっつくことを保証し、使わない時に、包帯を収納でき、包帯が汚れることを防ぎ、またレールの形を利用し、包帯巻きの正確な角度を保証し、間違った包帯の巻き方による二次損傷を避ける。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の半月板保護用包帯巻き装置の全体構成略図
【図２】図２は図１のＡ―Ａ方向の構成略図
【図３】図３は図２のＢ―Ｂ方向の構成略図
【図４】図４は図３のＣ―Ｃ方向の構成略図
【図５】図５は図３のＤ―Ｄ方向の構成略図
【図６】図６は図１の連結板の構成略図
【発明を実施するための形態】
【００１５】
本発明は半月板保護用包帯巻き装置を取り上げ、主に半月板保護用包帯巻きに使い、以下に付図をあわせて本発明について説明する：
【００１６】
本発明の半月板保護用包帯巻き装置は、起動箱１１を含み、前記起動箱１１の下端にはスポンジクッション４９が設けられ、前記起動箱１１の中には伝動チャンバ１９が設けられ、前記伝動チャンバ１９の中には起動装置９０１が設けられ、前記起動箱１１の外側には中心対称な支持台１７が四つ固定的に連結され、上下二つの支持台１７の間にはレール箱１５が固定的に連結され、前記レール箱１５の中には下方に開口したスライドチャンバ１６が設けられ、ここで右側の前記スライドチャンバ１６について詳しく説明し、右側の前記スライドチャンバ１６と左側の前記スライドチャンバ１６とが同じ構造を持ち、前記スライドチャンバ１６の右端内壁にはスライド溝１４が設けられ、前記スライドチャンバ１６の左端内壁には抜き穴１８が連通するように設けられ、前記抜き穴１８の中には前記起動装置９０１に制御されたスライド装置９０２がスライドできるように連結され、且つ前記スライド装置９０２が前記スライド溝１４とスライドできるように連結され、それにより、前記スライド装置９０２を前記レール箱１５の輪郭に沿ってスライドさせることができ、前記スライド装置９０２の下端には左右に対称したくっつけ装置９０３が回転できるように連結され、前記くっつけ装置９０３の間には肌を引き締めることができる包帯装置９０４が設けられ、前記包帯装置９０４の中には包帯の切口が下方へ向くことを保つ片方向回転装置９０５が設けられ、前記スライドチャンバ１６の内壁の中には前記くっつけ装置９０３を制御するガイド装置９０６が設けられ、前記包帯装置９０４が前記ガイド装置９０６との当接状態から離脱した時に前記包帯装置９０４が肌と直接に接触でき、さらに、前記包帯装置９０４と前記ガイド装置９０６とが改めて当接したとき、前記包帯９０４が外部環境に接触することを防げる。
【００１７】
以下、起動装置９０１について詳しく説明し、前記起動装置９０１は前記伝動チャンバ１９の内壁に連通するように設けられた中心対称な回転溝２０を含み、前記伝動チャンバ１９の前端内壁には伝動軸１３が回転できるように連結され、前記伝動軸１３には前記伝動チャンバ１９の前端の外側に位置したノブ２４が設けられ、前記伝動軸１３には前記回転溝２０とスライドできるように連結された回しロッド１２が設けられ、前記回しロッド１２の前側と前記伝動チャンバ１９の前端内壁との間にはトーションバネ２３が連結されている。
【００１８】
以下、スライド装置９０２について詳しく説明し、前記スライド装置９０２は前記スライド溝１４とスライドできるように連結された中心対称な連結板２２を含み、前記連結板２２が前記抜き穴１８とスライドできるように連結され、且つ前記スライドチャンバ１６のうち対称中心に近接した一端の外側に伸びており、前記連結板２２と前記スライド溝１４の内壁との間には引っ張りバネ２１が連結され、前記連結板２２のうち対称中心に近接した一端には前記回しロッド１２と当接した連結溝４８が設けられている。
【００１９】
以下、くっつけ装置９０３について詳しく説明し、前記くっつけ装置９０３は前記連結板２２の下側端面と回転できるように連結された左右対称な従動軸３２を含み、前記従動軸３２には回転板３７が設けられ、前記回転板３７の中には斜面溝３６が連通するように設けられ、前記斜面溝３６には前記包帯装置９０４と回転できるように連結された駆動軸３４がスライドできるように連結され、前記駆動軸３４には前記回転板３７のうち対称中心から離れた側に位置した落ち防ぎ板３３が設けられ、前記従動軸３２には前記回転板３７の前端に位置した押しロッド４０が設けられている。
【００２０】
以下、包帯装置９０４について詳しく説明し、前記包帯装置９０４は前記駆動軸３４と回転できるように連結された菱形ローラー２５を含み、前記菱形ローラー２５の中には駆動チャンバ２６が設けられ、前記駆動軸３４には前記駆動チャンバ２６の中に位置した包帯輪２８が設けられ、前記包帯輪２８の内側と前記片方向回転装置９０５とが固定的に連結され、前記包帯輪２８の外側が前記駆動チャンバ２６の外側まで伸びており、直接に肌に接触することに便利であり、前記駆動軸３４にはカップリング箱２７の左右端に位置し、且つ対称な支持ロッド３５が回転できるように連結され、前記支持ロッド３５のうち反時計回り側には当接ロッド３１がスライドできるように連結され、前記当接ロッド３１と前記支持ロッド３５との間には圧縮バネ２９が連結され、前記当接ロッド３１の間には前記駆動チャンバ２６の外側に位置した切り刃３０が設けられ、前記切り刃３０は包帯を切ることができる。
【００２１】
以下、片方向回転装置９０５について詳しく説明し、前記片方向回転装置９０５は前記駆動軸３４と回転できるように連結されたカップリング箱２７を含み、前記カップリング箱２７と前記包帯輪２８とが固定的に連結され、前記カップリング箱２７の中にはカップリングチャンバ４４が設けられ、前記カップリングチャンバ４４の中には回転可能な六つの制限ロッド４６が環状に配列され、前記カップリングチャンバ４４の中には前記制限ロッド４６のうち時計回り側に位置した位置制限ブロック４５が固定的に連結され、前記位置制限ブロック４５は前記制限ロッド４６が時計回りに回転することを制限でき、前記駆動軸３４には前記カップリングチャンバ４４の中に位置した爪車４７が設けられ、前記爪車４７と前記制限ロッド４６とが当接し連結されている。
【００２２】
以下、ガイド装置９０６について詳しく説明し、前記ガイド装置９０６は前記スライドチャンバ１６のうち時計回り側に固定された固定ロッド３８を含み、前記固定ロッド３８には前記押しロッド４０と当接し連結された押しブロック３９が設けられている。
【００２３】
以下、図１〜６をあわせて本発明装置の使用ステップについて詳しく説明する：
【００２４】
包帯を巻くとき、スポンジクッション４９を膝にくっつけ、ノブ２４を回し、伝動軸１３によって回しロッド１２を回し、これによって回しロッド１２が連結溝４８の中までスライドし、且つ連結板２２を押し動かし、このとき、連結板２２の移動により、押しロッド４０が押しブロック３９との当接状態から離脱し、これによって押しロッド４０が復帰バネ４１の弾性回復のもとで対称中心の側へ向けて回転し、回転板３７が互いに平行し、斜面溝３６の形が斜面であるため、駆動軸３４が反時計回り側へスライドし肌にくっつき、このとき駆動軸３４が爪車４７を反時計回りに回転連動させ、包帯輪２８を回転連動させることができなく、包帯の切り口が下方に向くことを保証し、引き続きに連結板２２を移動させ、このとき肌と包帯との粘着により、包帯輪２８を回し、膝の半月板の周囲の肌を引き締め、当接ロッド３１がスライドチャンバ１６のうち反時計回り側の内壁と当接するまで連結板２２を移動させ、切り刃３０を押し動かし、切り刃３０が包帯輪２８を向けて移動し、包帯を切り包帯巻きを完了し、伝動軸１３を放し、引っ張りバネ２１の弾性回復により連結板２２が引き動かされて時計回りに移動し、このとき、押しロッド４０と押しブロック３９との当接によりう押しロッド４０を押し動かし、押しロッド４０が対称中心から離れた側へ回転し、従動軸３２により回転板３７を押し動かして台形に配列させ、回転板３７の時計回り側は長さの短い一端であり、このとき菱形ローラー２５によって包帯輪２８を時計回り側に押し動かし、包帯輪２８を皮膚との直接接触状態から離脱させる。
【００２５】
本発明の有益効果は：本発明は菱形ローラーが平行のスライドウェイと台形スライドウェイでの移動を切り替えることを利用し、高度を調節し、包帯を使用する時に包帯が肌にくっつくことを保証し、使わない時に、包帯を収納でき、包帯が汚れることを防ぎ、またレールの形を利用し、包帯巻きの正確な角度を保証し、間違った包帯の巻き方による二次損傷を避ける。
【００２６】
以上の方式により、本分野の技術者は本発明の範囲内に作動モードに合わせて各種な変形をさせることができる。